(57)【要約】【課題】吹出口から吹出される混合空気の流量のばらつきを抑制することができる空調用チャンバダクトを提供する。【解決手段】空調用チャンバダクト１０は、長手方向の端部が閉じたダクト１２と、ダクト１２の側面１２Ａに形成され、ダクト１２内に空調空気を導入する導入口１４と、導入口１４とダクト１２の天井面１２Ｂとの間、及び導入口１４とダクト１２の底面１２Ｃとの間にそれぞれ構成され、高さが導入口１４の高さの１／２倍以上とされた空間部と、ダクト１２の導入口１４が形成された側面１２Ａに対向する側面１２Ｄに形成され、ダクト１２内に外気を取込む外気取込口２０と、ダクト１２の側面１２Ａ，１２Ｄの導入口１４から離れた位置に形成され、空調空気と外気とが混合されたダクト１２内の混合空気を吹出す吹出口２６、２８と、を備える。【選択図】図１
2018009732.tif 000002
【特許請求の範囲】
【請求項１】
長手方向の端部が閉じたダクトと、
前記ダクトの側面に形成され、前記ダクト内に空調空気を導入する導入口と、
前記導入口と前記ダクトの天井面との間、及び前記導入口と前記ダクトの底面との間にそれぞれ形成され、高さが前記導入口の高さの１／２倍以上とされた空間部と、
前記ダクトの前記天井面、前記底面、又は前記導入口が形成された側面に対向する側面に形成され、前記ダクト内に外気を取込む外気取込口と、
前記ダクトの側面の前記導入口から離れた位置に形成され、空調空気と外気とが混合された前記ダクト内の混合空気を吹出す吹出口と、
を備える空調用チャンバダクト。
【請求項２】
前記外気取込口は、前記ダクトの前記導入口が形成された側面に対向する側面に形成されており、
前記外気取込口と前記導入口との間には、前記外気取込口から取込まれる外気の流入方向を変更する風向板が設けられている、
請求項１に記載の空調用チャンバダクト。
【請求項３】
前記ダクトの前記導入口が形成された側面に形成された第１吹出口は、前記ダクトの前記導入口が形成された側面と対向する側面に形成された第２吹出口より、前記ダクトの長手方向に沿って前記導入口から離れている、
請求項１又は２に記載の空調用チャンバダクト。
【発明の詳細な説明】
【技術分野】
【０００１】
本発明は、調和空気と外気とを混合する空調用チャンバダクトに関する。
【背景技術】
【０００２】
調和空気と外気とを混合して外部へ供給する空調用チャンバダクトとして、例えば特許文献１には、調和空気供給用の供給用ダクトが接続される入口側開口部と、送出用ダクト及び混合用空気ダクトが接続される分岐開口部と、を有するチャンバ本体を備える空気調和用チャンバが開示されている。
【先行技術文献】
【特許文献】
【０００３】
【特許文献１】特開２００３−４２８５号公報
【発明の概要】
【発明が解決しようとする課題】
【０００４】
特許文献１に開示されているような空気調和用チャンバでは、入口側開口部からチャンバ本体内に流入した調和空気は、まず、チャンバ本体の入口側開口部が形成されている側面に対向する対向側面にぶつかる。その後、調和空気と混合用空気とが混合した混合空気が分岐開口部へと流れる。
【０００５】
このため、対向側面の近傍に設けられている分岐開口部から流出する混合空気量が、入口側開口部の近傍に設けられている分岐開口部から流出する混合空気量より多くなる傾向があった。
【０００６】
本発明は上記事実に鑑み、吹出口から吹出される混合空気の流量のばらつきを抑制することができる空調用チャンバダクトを提供することを目的とする。
【課題を解決するための手段】
【０００７】
請求項１に記載の空調用チャンバダクトは、長手方向の端部が閉じたダクトと、前記ダクトの側面に形成され、前記ダクト内に空調空気を導入する導入口と、前記導入口と前記ダクトの天井面との間、及び前記導入口と前記ダクトの底面との間にそれぞれ形成され、高さが前記導入口の高さの１／２倍以上とされた空間部と、前記ダクトの前記天井面、前記底面、又は前記導入口が形成された側面に対向する側面に形成され、前記ダクト内に外気を取込む外気取込口と、前記ダクトの側面の前記導入口から離れた位置に形成され、空調空気と外気とが混合された前記ダクト内の混合空気を吹出す吹出口と、を備える。
【０００８】
上記構成によれば、導入口とダクトの天井面との間、及び導入口とダクトの底面との間に、高さが導入口の高さの１／２倍以上とされた空間部がそれぞれ形成されている。これにより、導入口から導入された空調空気が導入口の上下の空間部で渦を巻き、外気取込口から取込まれた外気と混合されてダクトの長手方向へ流れる。
【０００９】
このように、空調空気が導入口の上下の空間部で渦を巻くことで、外気が混合された混合空気のダクトの長手方向の動圧のばらつきが小さくなり、吹出口から吹出される混合空気の流量のばらつきが抑制される。
【００１０】
請求項２に記載の空調用チャンバダクトは、請求項１に記載の空調用チャンバダクトであって、前記外気取込口は、前記ダクトの前記導入口が形成された側面に対向する側面に形成されており、前記外気取込口と前記導入口との間には、前記外気取込口から取込まれる外気の流入方向を変更する風向板が設けられている。
【００１１】
上記構成によれば、互いに対向する外気取込口と導入口との間に風向板が設けられている。このため、外気と空調空気とが直接ぶつかることを抑制することができ、送風抵抗を小さくすることができる。
【００１２】
請求項３に記載の空調用チャンバダクトは、請求項１又は２に記載の空調用チャンバダクトであって、前記ダクトの前記導入口が形成された側面に形成された第１吹出口は、前記ダクトの前記導入口が形成された側面と対向する側面に形成された第２吹出口より、前記ダクトの長手方向に沿って前記導入口から離れている。
【００１３】
一般的に、ダクトの導入口が形成された側面における導入口の近くでは、混合空気の混合率が低下する。ここで、上記構成によれば、ダクトの導入口が形成された側面に形成された第１吹出口が、ダクトの導入口が形成された側面と対向する側面に形成された第２吹出口よりダクトの長手方向に沿って導入口から離れている。このため、第１吹出口及び第２吹出口から吹出される混合空気の混合率の均一化を図ることができる。
【発明の効果】
【００１４】
本発明によれば、吹出口から吹出される混合空気の流量のばらつきを抑制することができる空調用チャンバダクトを提供することができる。
【図面の簡単な説明】
【００１５】
【図１】（Ａ）は本発明の実施形態の一例における空調用チャンバダクトを示す平面図であり、（Ｂ）はその正面図である。
【図２】（Ａ）は空調用チャンバダクト内の空気の流れを示す図１（Ｂ）におけるＡ−Ａ線断面図であり、（Ｂ）はその図１（Ｂ）におけるＢ−Ｂ線断面図である。
【発明を実施するための形態】
【００１６】
以下、本発明の実施形態の一例における空調用チャンバダクトについて、図１、図２に従って説明する。なお本発明において「チャンバダクト」とは、取込まれた空気が混合されるチャンバの機能と、空気を吹出口へと送るダクトの機能と、を併せ持つ部材である。
【００１７】
（構成）
図１に示すように、本実施形態の空調用チャンバダクト１０は、例えば長さが３５００ｍｍ程度とされ、長手方向の両端部が閉じた角筒状のダクト１２を有している。
【００１８】
なお、ダクト１２は、ラミネート加工により表面にアルミニウム箔が貼付けられた段ボールによって構成されており、高さ（例えば４００ｍｍ）が幅（例えば３００ｍｍ）より大きくされた縦長形状の断面を有している。
【００１９】
また、ダクト１２の側面１２Ａの長手方向における略中央部には、長方形状の導入口１４が形成されており、導入口１４には、角筒状の導入ダクト１６の一端が接続されている。なお、導入ダクト１６の他端は、図示しない空調機に接続されている。
【００２０】
図２（Ａ）に示すように、導入口１４は、ダクト１２の側面１２Ａの高さ方向における略中央部に形成されており、導入口１４の高さＤ（例えば２００ｍｍ）はダクト１２の高さの１／２倍とされている。
【００２１】
このため、導入口１４とダクト１２の天井面１２Ｂとの間、及び導入口１４とダクト１２の底面１２Ｃとの間には、高さＥ（例えば１００ｍｍ）が導入口１４の高さＤの１／２倍とされた空間部１８がそれぞれ形成されている。
【００２２】
図１に示すように、ダクト１２の導入口１４が形成された側面１２Ａに対向する側面１２Ｄの長手方向における略中央部には、円形状の外気取込口２０が形成されており、外気取込口２０には円筒状の取込ダクト２２の一端が接続されている。なお、取込ダクト２２の他端は、図示しない送風機等の機器を経由して大気に解放されている。
【００２３】
導入口１４と外気取込口２０との間、すなわちダクト１２内の長手方向における略中央部には、風向板２４が設けられている。風向板２４は、ダクト１２の長手方向に沿って配置された板状部材であり、上端及び下端がダクト１２の天井面１２Ｂ及び底面１２Ｃにそれぞれ固定されている。
【００２４】
また、風向板２４の幅（ダクト１２の長手方向に沿った長さ）は、外気取込口２０の直径（例えば２００ｍｍ）より大きく、導入口１４の幅（例えば１０００ｍｍ）より小さく、例えば３００ｍｍ程度とされている。
【００２５】
なお、図２（Ｂ）に示すように、ダクト１２の長手方向中央部において、ダクト１２内の空間部１８は、幅方向における略中央部で風向板２４によって導入口側空間部１８Ａと外気取込口側空間部１８Ｂとに区画されている。
【００２６】
ダクト１２の導入口１４が形成された側面１２Ａには、複数（本実施形態では２つ）の第１吹出口２６が形成されている。一方、ダクト１２の外気取込口２０が形成された側面１２Ｄには、複数（本実施形態では６つ）の第２吹出口２８が形成されている。
【００２７】
第１吹出口２６及び第２吹出口２８は、例えば直径が１５０ｍｍ程度の円形状とされており、導入口１４から離れた位置にそれぞれ間隔をおいて形成されている。また、第１吹出口２６及び第２吹出口２８には、円筒状の供給ダクト３０、３２の一端がそれぞれ接続されている。なお、供給ダクト３０、３２の他端は、混合空気が供給される図示しない各空調エリアへとそれぞれ延びている。
【００２８】
ここで、第１吹出口２６は、第２吹出口２８よりダクト１２の長手方向に沿って導入口１４から離れている。すなわち、最も導入口１４に近い第１吹出口２６と導入口１４との間の距離Ｇ（例えば９５０ｍｍ）が、最も導入口１４に近い第２吹出口２８と導入口１４との間の距離Ｆ（例えば４５０ｍｍ）より大きくされている。
【００２９】
（作用、効果）
ダクト１２内には、導入ダクト１６及び導入口１４を通して、図示しない空調機によって温度や湿度が調節された空調空気が導入される。
【００３０】
ここで、図２（Ａ）に実線で示すように、導入口１４からダクト１２内に導入された空調空気は、対向する側面１２Ｄにぶつかってダクト１２の上部及び下部に形成された空間部１８で渦を巻き、その後、ダクト１２の長手方向へ流れる。
【００３１】
なお、図２（Ｂ）に実線で示すように、風向板２４が設けられている位置では、導入口１４からダクト１２内に導入された空調空気は、風向板２４にぶつかってダクト１２の上部及び下部に形成された導入口側空間部１８Ａで渦を巻き、その後、ダクト１２の長手方向へ流れる。
【００３２】
一方、ダクト１２内には、取込ダクト２２及び外気取込口２０を通して外気が取込まれる。ここで、図２（Ｂ）に実線で示すように、外気取込口２０からダクト１２内に取込まれた外気は、ダクト１２の上部及び下部に形成された外気取込口側空間部１８Ｂで渦を巻き、その後、ダクト１２の長手方向へ流れる。
【００３３】
空調空気及び外気は、ダクト１２の長手方向へ流れる間に混合され、混合空気となって第１吹出口２６及び第２吹出口２８から吹出される。第１吹出口２６及び第２吹出口２８から吹出された混合空気は、供給ダクト３０、３２を通して図示しない各空調エリアへ供給される。
【００３４】
本実施形態によれば、導入口１４とダクト１２の天井面１２Ｂ及び底面１２Ｃとの間に、高さＥが導入口１４の高さＤの１／２倍とされた空間部１８がそれぞれ形成されている。このため、導入口１４からダクト１２内に導入された空調空気が導入口１４の上下の空間部１８で渦を巻き、ダクト１２の長手方向において空調空気の動圧のばらつきが小さくなる。
【００３５】
また、本実施形態によれば、導入口１４と外気取込口２０との間に風向板２４が設けられている。このため、導入口１４から導入される空調空気と外気取込口２０から取込まれる外気とが直接ぶつかることを抑制することができ、送風抵抗を小さくすることができる。
【００３６】
さらに、導入口１４から導入される空調空気と外気取込口２０から取込まれる外気とが導入口側空間部１８Ａ及び外気取込口側空間部１８Ｂでそれぞれ渦を巻いた後、ダクト１２の長手方向へ流れる間に混合される。このため、空調空気と外気との混合率の均一化を図ることができるとともに、第１吹出口２６及び第２吹出口２８から吹出される混合空気の流量のばらつきを抑制することができる。
【００３７】
また、本実施形態によれば、最も導入口１４に近い第１吹出口２６と導入口１４との間の距離Ｇが、最も導入口１４に近い第２吹出口２８と導入口１４との間の距離Ｆより大きくされている。ダクト１２の側面１２Ａにおいて、混合空気の混合率が低下する導入口１４の周囲から第１吹出口２６を離すことにより、第１吹出口２６及び第２吹出口２８から吹出される混合空気の混合率の均一化を図ることができる。
【００３８】
以上、本発明について実施形態の一例を説明したが、本発明はかかる実施形態に限定されるものではなく、本発明の範囲内にて他の種々の実施形態が可能である。
【００３９】
例えば上記実施形態では、外気取込口２０はダクト１２の導入口１４が形成された側面１２Ａに対向する側面１２Ｄに形成されていたが、ダクト１２の天井面１２Ｂや底面１２Ｃの長手方向における略中央部に形成されていてもよい。この場合、導入口１４から導入された空調空気と外気取込口２０から取込まれた外気とが、真正面からぶつかることを抑制することができるため、風向板２４は不要となる。
【００４０】
また、上記実施形態では、導入口１４及び外気取込口２０がダクト１２の長手方向における略中央部に形成されていた。しかし、導入口１４及び外気取込口２０の位置は上記実施形態には限られず、ダクト１２の長手方向における一端部等とされていてもよい。
【００４１】
また、ダクト１２の空間部１８の高さＥが導入口１４の高さＤの１／２倍以上の場合に、空間部１８において空調空気及び外気の渦が形成される。このため、空間部１８の高さＥが導入口１４の高さＤの１／２倍以上とされていれば、ダクト１２の断面形状は正方形状や楕円形状等であってもよい。
【００４２】
なお、上記実施形態においてダクト１２や導入口１４等の寸法を例示したが、寸法は上記実施形態には限られず、空調用チャンバダクト１０が設置される場所や用途等によって適宜定められる。
【符号の説明】
【００４３】
１０          空調用チャンバダクト
１２          ダクト
１４          導入口
１８          空間部
１８Ａ        導入口側空間部（空間部）
１８Ｂ        外気取込口側空間部（空間部）
２０          外気取込口
２４          風向板
２６          第１吹出口（吹出口）
２８          第２吹出口（吹出口）
【図１】
2018009732.tif 000003
【図２】
2018009732.tif 000004